(57)【要約】【課題】設定作業の手間が軽減される照明装置及び照明システムを提供する。【解決手段】光源１０を点灯させる点灯部１１と、時刻を出力する計時部１２と、測位を行う測位部１３と、測位部１３において得られた位置に基いて日の出及び日の入の各時刻を得るとともに、得られた日の出及び日の入の各時刻と、計時部１２が出力した時刻とに応じて点灯部１１を制御する制御部１４とを備える。測位部１３を備えることにより、設置場所が属する地域のデータを入力する手間が不要となり、設定作業の手間が軽減されている。【選択図】図１
2009048807.tif 000002
【特許請求の範囲】
【請求項１】
光源を点灯させる点灯部と、
時刻を出力する計時部と、
日付を出力する日付出力部と、
測位を行う測位部と、
日付出力部が出力した日付と測位部によって得られた位置とに基いて日の出及び日の入の各時刻を得る日照時間導出部と、
日照時間導出部によって得られた日の出及び日の入の各時刻と、計時部が出力した時刻とに基いて点灯部を制御する制御部とを備えることを特徴とする照明装置。
【請求項２】
測位部は、ＧＰＳ衛星から送信されるＧＰＳ信号を用いて測位を行うことを特徴とする請求項１記載の照明装置。
【請求項３】
予め設定された制御スケジュールに従って光源を点灯させる照明装置と、照明装置に制御スケジュールを設定する設定装置とを備え、
設定装置は、
日付を出力する日付出力部と、
測位を行う測位部と、
日付出力部が出力した日付と測位部によって得られた位置とに基いて日の出及び日の入の各時刻を得る日照時間導出部と、
日照時間導出部によって得られた日の出及び日の入の各時刻を用いて、光源の制御の１日サイクルでの時間変化である制御スケジュールを指示する設定信号を生成する設定信号生成部と、
設定信号生成部によって生成された設定信号を各照明装置へそれぞれ送信する送信部とを有し、
照明装置は、
光源を点灯させる点灯部と、
時刻を出力する計時部と、
設定装置から送信された設定信号を受信する受信部と、
受信部に受信された設定信号に示された制御スケジュールが格納されるスケジュール記憶部と、
スケジュール記憶部に格納された制御スケジュールと計時部が出力した時刻とに基いて点灯部を制御する制御部とを有することを特徴とする照明システム。
【請求項４】
設定装置との通信用のサーバ通信部と、それぞれ照明装置の異なる型式に対応した設定信号を生成する複数個の生成プログラムが格納されたサーバ記憶部と、照明装置の特定の型式に対応した生成プログラムを要求する要求信号がサーバ通信部に受信されたときにサーバ記憶部に格納された生成プログラムのうち該型式に対応した生成プログラムを該要求信号の送信元に対して送信するようにサーバ通信部を制御するサーバ制御部とを有するサーバを備え、
設定装置は、設定信号を送信すべき照明装置の型式が入力される型式入力部と、サーバとの通信用の通信部とを有し、
設定信号生成部は、設定信号を生成する際、型式入力部に入力された型式に対応した生成プログラムを要求する要求信号をサーバ通信部へ送信させ、その後に通信部に受信された生成プログラムを用いて設定信号を生成することを特徴とする請求項３記載の照明システム。
【請求項５】
測位部は、ＧＰＳ衛星から送信されるＧＰＳ信号を用いて測位を行うことを特徴とする請求項３又は請求項４記載の照明システム。
【発明の詳細な説明】
【技術分野】
【０００１】
本発明は、日の出及び日の入の各時刻に応じた動作をする照明装置及び照明システムに関するものである。
【背景技術】
【０００２】
従来から、日の入の時刻に光源を点灯させ、日の出の時刻に光源を消灯させるといったように、日の出及び日の入の各時刻に応じた動作をする照明装置が提供されている（例えば、特許文献１参照）。この種の照明装置によれば、明るさセンサを用いて光源を制御する場合と違い、明るさセンサの汚れによる誤動作が発生しないという利点がある。
【０００３】
従来、この種の照明装置は、複数の地域について、それぞれ、日の出及び日の入の各時刻と、日付との対応関係が格納されたデータテーブルを有し、予め入力された地域と日付とに基いて日の出及び日の入の各時刻を得ていた。
【特許文献１】特開２００１−１４３８７６号公報
【発明の開示】
【発明が解決しようとする課題】
【０００４】
しかし、従来は上記のように、照明装置の設置場所での日の出及び日の入の各時刻を得るために、照明装置の使用開始前の設定作業として、照明装置の設置場所が属する地域を示すデータを施工者が手動で入力する作業（以下、「地域設定」と呼ぶ。）が必要であった。
【０００５】
本発明は、上記事由に鑑みて為されたものであり、その目的は、設定作業の手間が軽減される照明装置及び照明システムを提供することにある。
【課題を解決するための手段】
【０００６】
請求項１の発明は、光源を点灯させる点灯部と、時刻を出力する計時部と、日付を出力する日付出力部と、測位を行う測位部と、日付出力部が出力した日付と測位部によって得られた位置とに基いて日の出及び日の入の各時刻を得る日照時間導出部と、日照時間導出部によって得られた日の出及び日の入の各時刻と、計時部が出力した時刻とに基いて点灯部を制御する制御部とを備えることを特徴とする。
【０００７】
この発明によれば、測位部を備えることにより、地域設定が不要となるから、設定作業の手間が軽減される。
【０００８】
請求項２の発明は、請求項１の発明において、測位部は、ＧＰＳ衛星から送信されるＧＰＳ信号を用いて測位を行うことを特徴とする。
【０００９】
請求項３の発明は、予め設定された制御スケジュールに従って光源を点灯させる照明装置と、照明装置に制御スケジュールを設定する設定装置とを備え、設定装置は、日付を出力する日付出力部と、測位を行う測位部と、日付出力部が出力した日付と測位部によって得られた位置とに基いて日の出及び日の入の各時刻を得る日照時間導出部と、日照時間導出部によって得られた日の出及び日の入の各時刻を用いて、光源の制御の１日サイクルでの時間変化である制御スケジュールを指示する設定信号を生成する設定信号生成部と、設定信号生成部によって生成された設定信号を各照明装置へそれぞれ送信する送信部とを有し、照明装置は、光源を点灯させる点灯部と、時刻を出力する計時部と、設定装置から送信された設定信号を受信する受信部と、受信部に受信された設定信号に示された制御スケジュールが格納されるスケジュール記憶部と、スケジュール記憶部に格納された制御スケジュールと計時部が出力した時刻とに基いて点灯部を制御する制御部とを有することを特徴とする。
【００１０】
この発明によれば、測位部を備えることにより、地域設定が不要となるから、設定作業の手間が軽減される。また、照明装置を複数設ける場合に、各照明装置にそれぞれ測位部を設ける必要がないので、請求項１の発明に比べて設備コストが低減される。
【００１１】
請求項４の発明は、請求項３の発明において、設定装置との通信用のサーバ通信部と、それぞれ照明装置の異なる型式に対応した設定信号を生成する複数個の生成プログラムが格納されたサーバ記憶部と、照明装置の特定の型式に対応した生成プログラムを要求する要求信号がサーバ通信部に受信されたときにサーバ記憶部に格納された生成プログラムのうち該型式に対応した生成プログラムを該要求信号の送信元に対して送信するようにサーバ通信部を制御するサーバ制御部とを有するサーバを備え、設定装置は、設定信号を送信すべき照明装置の型式が入力される型式入力部と、サーバとの通信用の通信部とを有し、設定信号生成部は、設定信号を生成する際、型式入力部に入力された型式に対応した生成プログラムを要求する要求信号をサーバ通信部へ送信させ、その後に通信部に受信された生成プログラムを用いて設定信号を生成することを特徴とする。
【００１２】
この発明によれば、１個の設定装置で照明器具の複数の型式に対応可能としながらも、型式毎の複数の生成プログラムを設定装置に保持する場合に比べて設定装置に要求される記憶容量が少なくなる。
【００１３】
請求項５の発明は、請求項３又は請求項４の発明において、測位部は、ＧＰＳ衛星から送信されるＧＰＳ信号を用いて測位を行うことを特徴とする。
【発明の効果】
【００１４】
請求項１の発明及び請求項３の発明は、それぞれ、測位部を備えることにより、地域設定が不要となるから、設定作業の手間が軽減される。さらに、請求項３の発明によれば、照明装置を複数設ける場合に、各照明装置にそれぞれ測位部を設ける必要がないので、請求項１の発明に比べて設備コストが低減される。
【００１５】
請求項４の発明は、設定装置が設定信号を生成するための生成プログラムをサーバから得ることにより、１個の設定装置で照明器具の複数の型式に対応可能としながらも、型式毎の複数の生成プログラムを設定装置に保持する場合に比べて設定装置に要求される記憶容量が少なくなる。
【発明を実施するための最良の形態】
【００１６】
以下、本発明を実施するための最良の形態について、図面を参照しながら説明する。
【００１７】
（実施形態１）
図１に示すように、本実施形態の照明装置１は、光源１０を点灯させる点灯部１１と、時刻を出力する計時部１２と、測位を行う測位部１３と、測位部１３において得られた位置に基いて日の出及び日の入の各時刻を得るとともに、得られた日の出及び日の入の各時刻と、計時部１２が出力した時刻とに応じて点灯部１１を制御する制御部１４とを備える。つまり、本実施形態の制御部１４は、請求項における日照時間導出部を兼ねている。電源としては例えば商用電源を用いるが、停電中の計時部１２の電源として電池を備えていてもよい。
【００１８】
光源１０としては例えば白熱灯や放電灯や発光ダイオードを用いることができる。光源１０として白熱灯を用いる場合には、点灯部１１としては例えばトライアックやリレーのようなスイッチを用いることができる。また、光源１０として放電灯を用いる場合、点灯部１１としては例えば周知の電子安定器を用いることができる。さらに、光源１０として発光ダイオードを用いる場合、点灯部１１としては周知の直流電源回路を用いることができる。また、点灯部１１は光源１０の光出力を変更可能となっている。光源１０の光出力の変更は、光源１０が白熱灯や発光ダイオードの場合には例えば光源１０に供給する電力のオンオフのデューティ比を変更することにより行われ、光源１０が放電灯の場合には例えば光源１０へ供給する電力の周波数を変更することにより行われる。
【００１９】
計時部１２は、例えば、水晶発振子やセラミック発振子などの発振子と、発振子の発振周波数に基いた計時を行う計時用ＩＣで構成される。なお、計時部１２と制御部１４とを１チップのマイコンで構成してもよい。
【００２０】
測位部１３は、例えばＧＰＳ（Global Positioning System）において一般的にはＧＰＳ衛星と呼ばれるNAVSTER（NAVigation Satellite Timing And Ranging）衛星から電波を媒体として送信される無線信号であるＧＰＳ信号を用いて測位を行うものである。このような測位部１３は周知技術で実現可能であるので、詳細な説明は省略する。制御部１４は、測位部１３において受信されたＧＰＳ信号から得られた日付と位置（緯度・経度）とを用いた演算により、日の出及び日の入の各時刻を得る。つまり、本実施形態の測位部１３は、日付出力部を兼ねている。また、制御部１４は、定期的に、ＧＰＳ信号から得られた時刻を用いて計時部１２の時刻を修正する。なお、測位部１３は、例えば携帯電話の基地局から送信される無線信号のように、外部からの無線信号であってＧＰＳ信号以外の無線信号から位置や日付の情報を得るものであってもよい。測位部１３が位置を得るために用いる無線信号は日付の情報を含まないものであってもよく、その場合には、計時部１２として日付も出力するものを用い、請求項における日付出力部とする。また、この場合において、計時部１２は周知の電波時計と同様に定期的に標準電波（日本ではＪＪＹ）を受信して時刻を自動的に修正するものとしてもよい。
【００２１】
さらに、本実施形態は、例えばＥＥＰＲＯＭのような不揮発性メモリからなる記憶部１５を備える。記憶部１５には、例えば、日の入の時刻から日の出の時刻まで光源１０を点灯させ、日の出の時刻から日の入の時刻まで光源１０を消灯させるといったような、日の出と日の入との各時刻を用いた１日サイクルでの点灯部１１の制御を指示する制御スケジュールが格納されており、制御部１４は、計時部１２から得られた時間と、記憶部１５に格納された制御スケジュールとに従って点灯部１１を制御する。
【００２２】
また、本実施形態は、使用者による操作入力を受け付ける操作部１６と、制御部１４によって制御され操作部１６に受け付けられた操作入力に応じた表示がなされる表示部１７とを備える。操作部１６は例えば複数個の押釦スイッチで構成される。表示部１７は、例えば液晶パネルや複数個の発光ダイオードからなる。本実施形態では、光源１０の点灯状態を切り換える際の光源１０の光出力の変化速度を操作部１６への操作入力により設定可能とされている。操作部１６に入力された上記変化速度は記憶部１５に格納され、制御部１４は光源１０の点灯状態の切換時の光源１０の光出力の変化速度を、記憶部１５に格納された変化速度とする。
【００２３】
さらに、本実施形態は、光源１０によって照明される範囲の人体を検出するセンサ部１８を備え、制御スケジュールにおいて日の入の時刻から日の出の時刻までの動作としては、センサ部１８による人体の検出に基いた動作が可能となっている。センサ部１８としては、例えば人体から放射される赤外光を焦電素子等によって検出するものや、検知範囲に照射された超音波や光が人体によって反射されたこと（または遮られたこと）を圧電素子やフォトダイオード等によって検出するものなどを用いることができる。また、本実施形態は、制御スケジュールにおいて、日の入の時刻から日の出の時刻までの間であっても、所定の設定時刻（例えば２２時）の前後で異なる動作とすることが可能となっている。例えば、制御部１４は、日の入の時刻から設定時刻までは、センサ部１８に人体が検出されてから所定の遅れ時間が経過するまでの期間は光源１０を定格の範囲内で最も高い光出力で点灯（以下、「定格点灯」と呼ぶ。）させ、遅れ時間以上の時間にわたってセンサ部１８に人体が検出されていないときには光源１０を定格点灯よりも低い光出力で点灯（以下、「調光点灯」と呼ぶ。）させるように、点灯部１１を制御する。また、設定時刻から日の出の時刻までは、センサ部１８に人体が検出されてから所定の遅れ時間が経過するまでの期間は光源１０を調光点灯させ、遅れ時間以上の時間にわたってセンサ部１８に人体が検出されていないときには光源１０を消灯させるように、点灯部１１を制御する。また、設定時刻や、遅れ時間や、調光点灯時の光出力は、それぞれ操作部１６への操作入力によって設定可能となっている。
【００２４】
上記構成によれば、測位部１３を備えることにより、地域設定が不要となっているから、設定作業の手間が軽減されている。また、地域設定が不要となったことに伴い、地域設定のための専用の押釦等が操作部１６に設けられている場合や、地域設定において入力された事項が表示される専用の領域が表示部１７に設けられている場合に比べ、操作部１６や表示部１７の小型化が可能となっている。
【００２５】
なお、日の出及び日の入の各時刻を得る方法としては、上記のように演算によって得る代わりに、日の出及び日の入の各時刻と日付との対応関係を示すデータテーブルを複数の地域についてそれぞれ記憶部１５に格納し、これを用いて日の出及び日の入の各時刻を得るようにしてもよい。
【００２６】
また、日の出及び日の入の各時刻に応じた動作としては、上記のように日の出及び日の入の各時刻に光源１０の点灯状態を切り換える動作に限られず、日の出及び日の入の各時刻から所定のずれ時間だけずれた時刻に光源１０の点灯状態を切り換える動作としてもよく、さらに上記のずれ時間を操作部１６への操作入力によって設定可能としてもよい。
【００２７】
（実施形態２）
本実施形態は、図２に示すように、予め設定された制御スケジュールに従って光源１０を点灯させる照明装置１と、照明装置１に制御スケジュールを設定する設定装置２とを備える。
【００２８】
照明装置１は、光源１０を点灯させる点灯部１１と、時刻を出力する計時部１２と、設定装置２から送信され制御スケジュールを示す設定信号を受信する受信部１９と、受信部１９に受信された設定信号に示された制御スケジュールが格納される記憶部１５と、計時部１２が出力した時刻と記憶部１５に格納された制御スケジュールとに基いて点灯部１１を制御する制御部１４とを備える。
【００２９】
点灯部１１、計時部１２、記憶部１５、並びに制御部１４はそれぞれ実施形態１と同様にして実現可能であるので、詳細な説明は省略する。
【００３０】
設定装置２は、測位を行う測位部２１と、測位部２１によって得られた位置における日の出及び日の入の各時刻を得るとともに得られた各時刻に基いた制御スケジュールを示す設定信号を生成する制御部２２と、制御部２２によって制御され制御部２２が生成した設定信号を照明装置１の受信部１９へ送信する送信部２３とを備える。すなわち、設定装置２の制御部２２は、日照時間導出部であるとともに、設定信号生成部でもある。
【００３１】
設定装置２の測位部２１及び制御部２２は、それぞれ実施形態１における測位部１３及び制御部１４と同様にして実現可能であるので、詳細な説明は省略する。
【００３２】
設定信号は、例えば赤外光や電波を媒体とした無線信号として送受信される。設定信号の媒体を赤外光とする場合、送信部２３には赤外発光ダイオードを用いることができ、受信部１９にはフォトダイオードを用いることができる。
【００３３】
さらに、設定装置２の制御部２２は、設定信号を生成する際、サーバ３からダウンロードされた生成プログラムを用いるものであって、設定装置２は、サーバ３との通信用の通信部２４を備える。
【００３４】
サーバ３は、設定装置２との通信用の通信部３１と、それぞれ照明装置１の異なる型式に対応した設定信号を生成する複数個の生成プログラムが格納された記憶部３２と、照明装置１の特定の型式に対応した生成プログラムを要求する要求信号が通信部３１に受信されたときに記憶部３２に格納された生成プログラムのうち該型式に対応した生成プログラムを該要求信号の送信元の設定装置２に対して送信するように通信部３１を制御する制御部３３とを有する。このようなサーバ３は周知の技術で実現可能であるので、詳細な説明は省略する。サーバ３の通信部３１は例えば公衆網に接続されたものであり、設定装置２の通信部２４は例えば携帯電話の基地局との間で電波を媒体とした無線信号を送受信することにより公衆網を介してサーバ３の通信部３１との間で通信を行うものである。
【００３５】
また、設定装置２は、制御スケジュールを設定されるべき照明装置１の型式が入力される型式入力部２５と、設定信号の生成及び送信を開始させる操作入力や制御スケジュールの細部を指定する操作入力が受け付けられる操作部２６と、制御部２２によって制御され操作部２６への操作入力に応じた表示がなされる表示部２７とを備える。型式入力部２５は、例えばカメラからなり、照明装置１のハウジングやパッケージやマニュアル等に付されて型式を示す２次元コード（図示せず）を読み取るものである。操作部２６及び表示部２７はそれぞれ実施形態１の操作部１６及び表示部１７と同様にして実現可能であるので、詳細な説明は省略する。
【００３６】
設定装置２の動作を説明する。操作部２６において設定信号の送信を指示する操作入力がなされ、型式入力部２５に型式が入力されると、制御部２２は、通信部２４を制御し、型式入力部２５に入力された型式の情報を含み該型式に対応した生成プログラムの送信を要求する要求信号をサーバ３へ送信させる。この要求信号に対してサーバ３から送信された生成プログラムが通信部２４に受信されると、制御部２２はこの生成プログラムを用いて設定信号を生成し、送信部２３を制御して照明装置１へ送信させる。設定信号の生成方法については、サーバ３から得られた生成プログラムを用いる点以外は実施形態１と共通であるので詳細な説明は省略する。照明装置１では、受信部１９に設定信号が受信されると、制御部１４は、該設定信号に示された制御スケジュールを記憶部１５に格納するとともに、以後は該制御スケジュールに従って点灯部１１を制御する。本実施形態の照明装置１はセンサ部１８を備えていないので、制御スケジュールに従った動作としては、例えば、日の出の時刻から日の入の時刻までは光源１０を消灯させ、日の入の時刻から設定時刻までは光源１０を定格点灯させ、設定時刻から日の出の時刻までは光源１０を調光点灯させるといったものとなる。ここで、測位部２１に測位のために受信される電波がＧＰＳ信号のように時刻の情報を含むものである場合や、標準電波を受信する標準電波受信部（図示せず）を設定装置２に設ける場合、測位部２１や標準電波受信部において得られた時刻の情報が設定信号に含まれるようにするとともに、照明装置１においては受信部１９に受信された設定信号に基いて計時部１２における時刻が修正されるようにしてもよい。また、測位部２１に受信される電波から日付の情報が得られない場合、設定装置２の日付出力部としては、日付の情報を含む信号を外部から受信する日付受信部（図示せず）や、照明装置１と同様の計時部（図示せず）を設ければよい。上記の日付受信部としては、通信部２４を用いてもよい。
【００３７】
上記構成によれば、実施形態１と同様に、測位部２１によって測位がなされることにより、地域設定が不要となっているから、設定作業の手間が軽減されている。
【００３８】
また、実施形態１に比べ、測位部１３，２１による測位が可能な位置（つまり、測位に必要な電波を受信可能な位置）に照明装置１を設置する必要がないから、照明装置１の設置場所の自由度が高いという利点がある。さらに、１個の設定装置２を複数個の照明装置１に対して用いる場合には、実施形態１のように各照明器具１にそれぞれ測位部１３を設ける場合に比べて設備コストが低減されるという利点がある。
【００３９】
さらに、設定装置２が設定信号の生成に当ってサーバ３からダウンロードされた生成プログラムを用いることにより、１個の設定装置２で照明器具１の複数の型式に対応可能としながらも、型式毎の複数の生成プログラムを設定装置２に保持する場合に比べて設定装置２に要求される記憶容量が少なくなっている。これにより、設定装置２としては専用の装置を用いる必要がなく、例えば、測位部２１としての測位機能部と、送信部２３としての光通信機能部と、型式入力部２５としてのカメラ部とを備える周知の携帯電話機を設定装置２として用いることができる。この場合、通信部２４としては、基地局との間で電波を送受信する構成をそのまま用いることができる。
【００４０】
なお、本実施形態においても、実施形態１と同様のセンサ部１８を照明装置１に追加し、人体の検出に応じた動作を可能としてもよい。
【００４１】
また、実施形態１及び実施形態２のそれぞれにおいて、点灯部１１と光源１０とを複数系統設け、複数個の点灯部１１が１個の制御部１４によって一括して制御されるようにしてもよい。
【図面の簡単な説明】
【００４２】
【図１】本発明の実施形態１を示すブロック図である。
【図２】本発明の実施形態２を示すブロック図である。
【符号の説明】
【００４３】
１  照明装置
２  設定装置
３  サーバ
１０  光源
１１  点灯部
１２  計時部
１３  測位部
１４  制御部
１５  記憶部
１９  受信部
２１  測位部
２２  制御部（請求項における日照時間導出部及び設定信号生成部）
２３  送信部
２４  通信部
３１  通信部
３２  記憶部
３３  制御部
【図１】
2009048807.tif 000003
【図２】
2009048807.tif 000004